(57)【要約】【課題】コンピュータルームなどの大規模な室内において、電子機器のレイアウト変更に際しても床面から取り外す必要のない空調用床吹出口を提供する。【解決手段】二重床構造の床面に設置される開口部３０を有する通気蓋３１において、開口部３０を塞ぐように通気蓋３１に取り付けられた開閉板３２により、開口部３０を開口した状態と、閉じた状態とにできるようにする。また空調用床吹出口３を使用しない場合は、通気蓋３１の開口部３０を開閉板３２で閉じた状態にすることで、開口部３０が床面から露呈しないようにする。【選択図】図４
2018128254.tif 000002
【特許請求の範囲】
【請求項１】
冷気を供給する空調装置と、
前記冷気を室内に吹き出す空調用床吹出口と、
暖気を発生する電子機器が収容される複数のラックと、
前記冷気及び前記暖気を分離する取り外し可能な遮蔽体と、
を有し、
前記空調用床吹出口は、
二重床構造の床面に設置される開口部を有する通気蓋と、
前記開口部を塞ぐように前記通気蓋に取り付けられ、前記開口部を開口した状態と、閉じた状態と、にする開閉板と、を有することを特徴とする空調システム。
【請求項２】
前記開口部は、複数あり、
前記開閉板は、前記開口部の数に対応した数ある、ことを特徴とする請求項１に記載の空調システム。
【請求項３】
複数の前記開閉板は、各々独立して開閉することを特徴とする請求項２に記載の空調システム。
【請求項４】
複数の前記開閉板は、各々が連動してひとまとまりに開閉することを特徴とする請求項２に記載の空調システム。
【請求項５】
前記開閉板は、前記通気蓋に取り付けられる第１の開閉板と、前記第１の開閉板に沿って移動可能な第２の開閉板と、を少なくとも有して構成し、前記開口部を開口した状態にて、前記第２の開閉板が引き出されることで、前記開閉板の長さが長くなることを特徴とする請求項１から４のいずれか１項に記載の空調システム。
【請求項６】
前記空調用床吹出口は、
前記開閉板を前記通気蓋に回動可能に取り付ける軸部と、を更に有することを特徴とする請求項１から４のいずれか１項に記載の空調システム。
【請求項７】
前記遮蔽体は、前記ラックの増減に合わせて、取り付け、取り外し可能であり、
前記空調用床吹出口は、前記ラックの列に沿って複数設置されることを特徴とする請求項１から６のいずれか１項に記載の空調システム。
【発明の詳細な説明】
【技術分野】
【０００１】
本発明は、空調用床吹出口に関する。
【背景技術】
【０００２】
大型計算機、サーバ機器、ＯＡ機器などの各種の電子機器類が多数台設置されるデータセンター、サーバルーム、コンピュータルームなどの大規模な室内では、設置機器類用の配線を行うために床を二重床構造としている。
【０００３】
また、このような二重床構造の床面を有する室内では、床下空間を空調装置から空調空気（圧送空気、主に冷気）を供給する供給路として利用している。そして、床下空間に面する床面に空調用床吹出口を設け、その空調用床吹出口から室内に空調空気を吹き出させるようにしている。
【０００４】
例えば、特許文献１（特開２０１１−１７９７１２号公報）には、床面に設けられる空調用床吹出口の構造について開示されている。特許文献１には、床面への取り付け設置を簡易的に行うことができ、設置機器類全体から室内天井付近などのそれぞれの方向に向けた広範囲の指向性にて空調空気を振り分け吹き出させることができる空調用床吹出し口装置が開示されている。
【先行技術文献】
【特許文献】
【０００５】
【特許文献１】特開２０１１−１７９７１２号公報
【発明の概要】
【発明が解決しようとする課題】
【０００６】
通常、空調用床吹出口は、特許文献１のように、室内に空調空気を吹き出させることを目的として床面に設けられる。
【０００７】
しかし、室内に設けられる電子機器類の増減に伴う電子機器類のレイアウト変更によっては、床面に設けた空調用床吹出口が不要となり、床面から取り外す必要がある。これは、空調用床吹出口は、室内に空調空気を吹き出させるための開口部を有しており、空調用床吹出口を床面に設置したままの状態では開口部が床面から露呈した状態になるためである。
【０００８】
大規模な室内の場合は、空調用床吹出口を床面に数多く設置することになるため、レイアウト変更に伴って数多くの空調用床吹出口を取り外すには多大な作業量が必要になる。また、床下空間には配線が存在するため、空調用床吹出口を取り外す際に、配線を傷付けてしまうおそれもある。
【０００９】
本発明の目的は、床面から取り外す必要のない空調用床吹出口を得ることである。
【課題を解決するための手段】
【００１０】
本発明にかかる空調用床吹出口は、
二重床構造の床面に設置される開口部を有する通気蓋と、
前記開口部を塞ぐように前記通気蓋に取り付けられ、前記開口部を開口した状態と、閉じた状態と、にする開閉板と、を有することを特徴とする。
【発明の効果】
【００１１】
本発明によれば、床面から取り外す必要のない空調用床吹出口を得ることができる。
【図面の簡単な説明】
【００１２】
【図１】本実施形態の空調システムの概略を説明するための第１の模式図である。
【図２】本実施形態の空調システムの概略を説明するための第２の模式図である。
【図３】空調用床吹出口３の構成例を示す図である。
【図４】空調用床吹出口３の開口部３０を開口した状態（ａ）と、開口部３０を閉じた状態（ｂ）と、を示す図である。
【図５】空調用床吹出口３を床面５に取り付ける前の状態（ａ）と、取り付けた後の状態（ｂ）と、を示す第１の図である。
【図６】空調用床吹出口３を床面５に取り付ける前の状態（ａ）と、取り付けた後の状態（ｂ）と、を示す第２の図である。
【図７】開閉板３２の構成例を示す図である。
【図８】開閉板３２のスライド機構の構成例を示す図である。
【図９】開閉板３２の開閉機構の構成例を示す図である。
【図１０】開閉板３２の構成例を示す図である。
【図１１】第２の実施形態の開閉板３２のスライド機構の構成例を示す第１の図である。
【図１２】第２の実施形態の開閉板３２の構成例を示す第２の図である。
【図１３】第３の実施形態の開閉板３２のスライド機構の構成例を示す第１の図である。
【図１４】第３の実施形態の開閉板３２のスライド機構の構成例を示す第２の図である。
【図１５】第４の実施形態の開閉板３２の開閉機構の構成例を示す第１の図である。
【図１６】第４の実施形態の開閉板３２の開閉機構の構成例を示す第２の図である。
【発明を実施するための形態】
【００１３】
（本発明の一態様にかかる空調用床吹出口の概要）
まず、図３、図４を参照しながら、本発明の一態様にかかる空調用床吹出口の概要について説明する。図３、図４は、本発明の一態様にかかる空調用床吹出口の構成例を示す。
【００１４】
本発明の一態様にかかる空調用床吹出口は、図３に示すように、通気蓋３１と、開閉板３２と、を有して構成する。
【００１５】
通気蓋３１は、二重床構造の床面に設置されるものであり、開口部３０を有して構成する。
【００１６】
開閉板３２は、開口部３０を塞ぐように通気蓋３１に取り付けられるものであり、図４（ａ）に示すように、開口部３０を開口した状態と、図４（ｂ）に示すように、開口部３０を閉じた状態と、にする。
【００１７】
本発明の一態様にかかる空調用床吹出口３は、通気蓋３１の開口部３０を塞ぐように通気蓋３１に取り付けられた開閉板３２により、開口部３０を開口した状態と、閉じた状態と、にする。このため、空調用床吹出口３を使用しない場合は、通気蓋３１の開口部３０を開閉板３２で閉じた状態にすることで、開口部３０が床面から露呈しないようにすることができる。その結果、空調用床吹出口３を床面から取り外さなくても済むことができる。以下、添付図面を参照しながら、本発明の一態様にかかる空調用床吹出口３について詳細に説明する。
【００１８】
（第１の実施形態）
＜空調システムの構成例＞
まず、図１、図２を参照しながら、本実施形態の空調用床吹出口３を設置する空調システムの構成例について説明する。図１、図２は、本実施形態の空調用床吹出口３を設置する空調システムの概略を説明するための図である。
【００１９】
本実施形態の空調用床吹出口３を設置する空調システムは、データセンターなどの大規模な電算機室に適用され、室内に設置されたラック列１、２のラックに収容される電子機器を冷却する。冷却対象の電子機器としては、例えば、サーバ装置やサーバスイッチ装置などがあげられる。
【００２０】
本実施形態の空調システムは、図１、図２に示すように、冷気を供給する空調装置１９と、冷気を室内に吹き出す空調用床吹出口３と、暖気を発生する電子機器が収容される複数のラックが配列されたラック列１、２と、室内にて冷気及び暖気を分離するための遮蔽体１０と、を有して構成する。
【００２１】
ラック列１、２と天井６との間には、冷気及び暖気を分離するための遮蔽体１０が着脱自在に配置される。
【００２２】
空調装置１９から供給された冷気は、二重床構造の床下空間４に供給され、床面５に設けられた空調用床吹出口３から矢印Ｐ１、Ｐ４のように吹き出し、ラック列１、２内のラックに収容された電子機器を冷却するようになっている。電子機器は熱を発するため、その熱により暖気が発生する。電子機器で発生した暖気は、ラック列１、２の背面から矢印Ｐ２、Ｐ５の方向に排出され、その排出された暖気が矢印Ｐ３、Ｐ６のようにラック列１、２の前面に回り込むのを遮蔽体１０で防止している。このため、床面５と、ラック列１、２と、遮蔽体１０と、により囲まれた空間（以下「冷気空間」と呼ぶ）が形成され、冷気空間内の冷気と冷気空間外の暖気とを分離することができる。また、ラック列１、２の端面側には、冷気空間の冷気の放出を防ぐカーテンなどを設置することが望ましい。ただし、空調システムの各要素の構成や配置は一例である。空調用床吹出口３は、ラック列１、２に沿って、床面５に複数設置されても構わない。
【００２３】
図１、図２に示す遮蔽体１０は、電算機室の天井６から吊り下げられた複数の吊り下げ部材１１（１１−１、１１−２、・・・）と、各吊り下げ部材１１により水平に吊り下げられた梁部材１７と、梁部材１７の垂線の足Ｆから離れて配置されたラック列１、２の上面から梁部材１７に対して傾斜配置された遮蔽部材としての板状部材１２（１２−１、１２−２、・・・）、１３（１３−１、１３−２、・・・）と、を有して構成されている。ただし、遮蔽体１０の構成や配置は一例である。
【００２４】
板状部材１２、１３は、フック等を備え、梁部材１７への取り付けと梁部材１７からの取り外しが可能に構成されている。ただし、遮蔽体１０の構成や配置は一例である。
【００２５】
板状部材１２、１３を梁部材１７に取り付けることで、ラック列１、２の背面から矢印Ｐ２、Ｐ５の方向に排出される暖気が矢印Ｐ３、Ｐ６のようにラック列１、２の前面に回り込むのを防止することが容易にできる。このように、本実施形態の空調用床吹出口３を設置する空調システムでは、ラック列１、２の増減に合わせて、遮蔽体１０の一部もしくは、全部を取り付け、取り外し可能になっていることが好ましい。
【００２６】
空調用床吹出口３は、空調装置１９から二重床構造の床下空間４に供給された冷気を室内の冷気空間に吹き出すものである。空調用床吹出口３は、図３に示すように、複数の開口部３０を有する通気蓋３１と、その開口部３０の数に対応した数の開閉板３２と、を有して構成する。図３に示す通気蓋３１は、５つの開口部３０を有しているため、開閉板３２の数は、その開口部３０の数に対応した５つとなる。なお、図３に示す構成は一例であり、開口部３０及び開閉板３２の数を５つに限定するものではない。通気蓋３１は、床面５に設置され、床下空間４の冷気を複数の開口部３０から室内の冷気空間に吹き出させる部材である。開閉板３２は、通気蓋３１に取り付けられ、図４（ａ）に示すように、開口部３０を開口した状態と、図４（ｂ）に示すように、開口部３０を閉じた状態と、にする部材である。図４では、開閉板３２の開閉状態を見やすくするために、空調用床吹出口３を構成する５つの開閉板３２のうち２つの開閉板３２のみを示している。なお、複数の開閉板３２は、それぞれ独立して開閉しても、それぞれが連動してひとまとまりに開閉しても、構わない。
【００２７】
空調用床吹出口３は、図５（ｂ）、図６（ｂ）に示すように、空調用床吹出口３を床面５に取り付けた場合に、通気蓋３１の上面と、床面５の上面と、で段差がなく平坦な状態となるように構成している。図５、図６は、空調用床吹出口３を床面５に取り付ける前の状態（ａ）と、取り付けた後の状態（ｂ）と、を示している。図５は、空調用床吹出口３と床面５との断面を示し、図６は、空調用床吹出口３と床面５とを上方から見た状態を示している。空調用床吹出口３は、床面５に取り付け及び取り外し可能な空調用床吹出口装置として構成されても、床面５に備え付けられていてもよい。
【００２８】
床面５には、図５（ａ）、図６（ａ）に示すように、空調用床吹出口３を取り付ける取付部５２を有しており、図５（ｂ）に示すように、取付部５２上に空調用床吹出口３を設置して床面５に空調用床吹出口３を取り付けるようにしている。本実施形態では、床面５の一部に開口領域５１を設け、開口領域５１の周囲に床面５の上面から下方に窪んだ形状の取付部５２を構成している。そして、その取付部５２上に空調用床吹出口３を取り付けることで、通気蓋３１の上面と、床面５の上面と、で段差がなく平坦な状態としている。本実施形態の空調用床吹出口３は、図５（ｂ）、図６（ｂ）に示すように、床面５に空調用床吹出口３を取り付けることで、二重床構造の床下空間４の冷気を通気蓋３１の複数の開口部３０から室内の冷気空間に吹き出させることができる。なお、空調用床吹出口３を床面５に取り付ける際の取り付け構造は、図５、図６に示す構造に限定せず、任意の取付構造で空調用床吹出口３を床面５に取り付けることが可能である。ただし、空調用床吹出口３を床面５に取り付ける際は、通気蓋３１の上面と、床面５の上面と、で段差がなく平坦な状態となるようにすることが好ましい。
【００２９】
空調用床吹出口３は、図４（ａ）に示すように、開閉板３２を開くことで、通気蓋３１の開口部３０を開口した状態にすることになる。これにより、空調装置１９から床下空間４に供給された冷気を開口部３０から室内の冷気空間に吹き出させるようにすることができる。また、図４（ｂ）に示すように、開閉板３２を閉じることで、通気蓋３１の開口部３０を閉じた状態にすることになる。これにより、空調装置１９から床下空間４に供給された冷気を複数の開口部３０から冷気空間以外の室内に吹き出させないようにすることができる。
【００３０】
空調用床吹出口３は、図４（ｂ）に示すように、開閉板３２の上面を通気蓋３１の上面と平行な状態にすることで、通気蓋３１の開口部３０を閉じた状態にすることができる。また、図４（ａ）に示すように、開閉板３２の一端を回転軸として当該開閉板３２を下方に動かし、開閉板３２の上面を通気蓋３１の上面と非平行な状態にすることで、通気蓋３１の開口部３０を開口した状態にすることができる。開閉板３２は、開閉板３２の上面が通気蓋３１の上面と平行な状態から９０度の範囲で下方に角度を任意に調整して回動することができる。なお、開閉板３２の角度は、通気蓋３１の開口部３０をほぼ閉じた状態にすることができれば、通気蓋３１の上面と平行な状態でなくてもよく、通気蓋３１の開口部３０を開いた状態にすることができれば、９０度でなくてもよいので、平行な状態から９０度の範囲は一例である。他の実施形態での説明でも同様である。
【００３１】
また、開閉板３２は、図７に示すように、２枚構造になっており、第１の開閉板３２−１と、移動可能な第２の開閉板３２−２と、を有している。図７は、開閉板３２の構成例を示す。（ａ）は、第１の開閉板３２−１と、第２の開閉板３２−２と、が重なった状態を示す。（ｂ）、（ｃ）は、第２の開閉板３２−２を第１の開閉板３２−１に対してスライドさせて引き出した状態を示す。開閉板３２は、図７（ｃ）に示すように、第１の開閉板３２−１が通気蓋３１に取り付けられており、移動可能な第２の開閉板３２−２を第１の開閉板３２−１に対してスライドさせることで、開閉板３２の長さを調整することが可能になっている。例えば、図７（ｃ）に示すように、第２の開閉板３２−２を第１の開閉板３２−１に対して引き出し、開閉板３２の短手方向の長さを長くすることで、開閉板３２に当接する冷気の面積を大きくし、多くの冷気を開閉板３２で取り込むことができる。その結果、多くの冷気を開口部３０から室内の冷気空間に吹き出させることができる。
【００３２】
＜開閉板３２のスライド機構の構成例＞
次に、図８を参照しながら、本実施形態の開閉板３２のスライド機構の構成例について説明する。図８は、開閉板３２のスライド機構の構成例を示す図である。（ａ）は、開閉板３２を側面から見たときの断面図を示し、（ｂ）は、開閉板３２の分解図を示し、（ｃ）は、開閉板３２を前方から見たときの断面図を示す。
【００３３】
開閉板３２は、第１の開閉板３２−１と、移動可能な第２の開閉板３２−２と、ガイド板３４と、を有して構成する。図８に示す開閉板３２は、第１の開閉板３２−１の上に第２の開閉板３２−２を重ねて構成しており、第１の開閉板３２−１が開閉板３２の下側を構成し、第２の開閉板３２−２が開閉板３２の上側を構成している。ガイド板３４は、図８（ｃ）に示すように、第１の開閉板３２−１と、第２の開閉板３２−２と、の端部を挟み込むように、第１の開閉板３２−１と、第２の開閉板３２−２と、の両側に設けられており、第２の開閉板３２−２を第１の開閉板３２−１に沿ってスライドさせることを可能にしている。ガイド板３４は、開閉板３２の移動を案内する部材であり、後述する図９に示すように、通気蓋３１に取り付けられており、第１の開閉板３２−１は、ガイド板３４と連結し、ガイド板３４を介して通気蓋３１に取り付けられる。ガイド板３４を通気蓋３１に取り付ける際の構造については後述する。
【００３４】
図８に示す開閉板３２は、第１の開閉板３２−１の上面にガイド溝３５が設けられており、第２の開閉板３２−２の下面に突起部３６が設けられており、突起部３６をガイド溝３５に沿って移動することで、突起部３６が設けられている第２の開閉板３２−２が第１の開閉板３２−１に対してスライドするようになっている。ガイド溝３５は、第１の開閉板３２−１の上面から下方に窪んだ形状で構成する。突起部３６は、第２の開閉板３２−２の下面から下方に突出した形状で構成する。図８に示す開閉板３２は、突起部３６をガイド溝３５に挿入することで、第２の開閉板３２−２を引き出した際に、突起部３６がガイド溝３５の端部に接触し、第２の開閉板３２−２の引き出しを停止させることになる。なお、第１の開閉板３２−１の上面に突起部３６を設け、第２の開閉板３２−２の下面にガイド溝３５を設け、そのガイド溝３５に沿って第２の開閉板３２−２が第１の開閉板３２−１に対してスライドするようにすることも可能である。また、図８では、図８（ｃ）に示すように、ガイド溝３５と、突起部３６と、を開閉板３２の中央の位置に設けるようにしている。しかし、ガイド溝３５と、突起部３６と、を設ける位置は、図８（ｃ）に示す位置に限定せず、任意の位置に設けるようにすることも可能である。また、図８では、図８（ｃ）に示すように、ガイド溝３５と、突起部３６と、の一対を開閉板３２に１つだけ設けて構成している。しかし、ガイド溝３５と、突起部３６と、の一対を開閉板３２に複数設けて構成することも可能である。
【００３５】
図８に示す開閉板３２は、第２の開閉板３２−２の上面に突形状の持手部３３が設けられており、その持手部３３を使用者が持って第２の開閉板３２−２を第１の開閉板３２−１に対して容易にスライドさせることを可能にしている。図８に示す持手部３３は、第２の開閉板３２−２の上面から突出した形状になっているため、図１０（ａ）に示すように、持手部３３の頂点の位置αが通気蓋３１の上面の位置βよりも上方に位置しないように、開閉板３２を通気蓋３１に取り付ける必要がある。これは、持手部３３の頂点の位置αが通気蓋３１の上面の位置βよりも上方に位置してしまうと、通気蓋３１の上面を人などが歩いて通気蓋３１に負荷を加えた場合に、通気蓋３１の上面よりも上方に位置する持手部３３に負荷が加わり、開閉板３２が下方に動いてしまうためである。また、図１０（ｂ）に示すように、持手部３３の頂点の位置αよりもガイド板３４の上面の位置γが上方に位置する場合は、ガイド板３４の上面の位置γが通気蓋３１の上面の位置βよりも上方に位置しないように、開閉板３２を通気蓋３１に取り付ける必要がある。即ち、通気蓋３１の上面の位置βよりも上方に位置する部材が存在しないように開閉板３２を通気蓋３１に取り付ける必要がある。これにより、通気蓋３１の上面を人などが歩いて通気蓋３１に負荷を加えても、開閉板３２に直接負荷が加わることがないようにすることができる。
【００３６】
なお、図８に示す開閉板３２は、第２の開閉板３２−２の上面に突形状の持手部３３を設けるようにしている。しかし、持手部３３の形状は特に限定せず、任意の形状で構成することも可能である。例えば、第２の開閉板３２−２の上面から下方に窪んだ形状で構成することも可能である。また、持手部３３を設けないようにすることも可能である。
【００３７】
また、本実施形態の空調用床吹出口３は、図８に示すように、開閉板３２を構成する第２の開閉板３２−２を第１の開閉板３２−１に対してスライドさせて引き出し、開閉板３２で多くの冷気を取り込むようにしている。この場合、第２の開閉板３２−２は、冷気が当接しても、その冷気の力によって第２の開閉板３２−２が第１の開閉板３２−１に対して引き戻されないようになっている。例えば、第２の開閉板３２−２の下面側は、第１の開閉板３２−１の上面側と当接しており、その当接した面の摩擦抵抗により、第２の開閉板３２−２が冷気の力によって第１の開閉板３２−１に対して引き戻されないようになっている。また、第２の開閉板３２−２の両側面は、ガイド板３４の内面側と当接しており、その当接した面の摩擦抵抗により、第２の開閉板３２−２が冷気の力によって第１の開閉板３２−１に対して引き戻されないようになっている。これにより、第２の開閉板３２−２は、冷気が当接しても、その冷気の力によって第２の開閉板３２−２が第１の開閉板３２−１に対して引き戻されないようになっている。
【００３８】
＜開閉板３２の開閉機構の構成例＞
次に、図９を参照しながら、開閉板３２の開閉機構の構成例について説明する。
【００３９】
本実施形態の開閉板３２は、図８に示すようにガイド板３４を有しており、そのガイド板３４は、図９（ａ）に示すように通気蓋３１に取り付けられている。図９（ａ）に示すガイド板３４は、ガイド板３４の背面がヒンジ４０を介して通気蓋３１に取り付けられている。ヒンジ４０としては、例えば、図９（ｂ）に示すトルクヒンジがあげられる。
【００４０】
図９（ａ）に示すガイド板３４は、ガイド板３４の背面がヒンジ４０を介して通気蓋３１に取り付けられているため、ヒンジ４０を軸としてガイド板３４を下方に動かすことができる。ガイド板３４は、図８に示すように、第１の開閉板３２−１と、第２の開閉板３２−２と、の端部を挟み込むように、第１の開閉板３２−１と、第２の開閉板３２−２と、の両側に設けられているため、開閉板３２は、ヒンジ４０を軸としてガイド板３４と共に下方に動かすことができる。また、開閉板３２を下方に動かしたり、上方に動かしたりして、開閉を行うために使用者が持つ取っ手又は窪みが、開閉板３２に設けられても構わないし、図８に示す持手部３３でこの機能を共用しても構わない。
【００４１】
本実施形態の開閉板３２は、開閉板３２の下側を構成する第１の開閉板３２−１がガイド板３４と連結し、開閉板３２の上側を構成する第２の開閉板３２−２がスライドし、第１の開閉板３２−１に対して前方に引き出すことができるようになっている。これにより、図７（ｃ）に示すように、第２の開閉板３２−２を第１の開閉板３２−１に対して引き出し、開閉板３２の短手方向の長さを長くすることで、開閉板３２に当接する冷気の面積を大きくし、多くの冷気を開閉板３２で取り込むことができる。なお、第１の開閉板３２−１とガイド板３４との連結構造は第１の開閉板３２−１がガイド板３４に固定されていればその連結構造は特に限定せず、任意の構造で連結することが可能である。また、第２の開閉板３２−２は、第１の開閉板３２−１に対してスライドすることが可能であればそのスライド機構の構造は特に限定せず、任意の構造で構成することが可能である。
【００４２】
図２に示すラック列１、２は８台のラックからなるが、ラック列１、２のラックの台数を増設する場合には、電算機室内のラック列１、２に増設可能な台数の長さに、吊り下げ部材１１及び梁部材１７を予め設置しておき、増設されたラックの分だけ、梁部材１７に各板状部材１２、１３を取り付けるだけで工事が完了する。また、ラック列１、２のラックの台数を減設する場合には、減設されたラックの分だけ、梁部材１７から各板状部材１２、１３を取り外すだけで工事が完了する。このようなレイアウト変更にて、ラック列１、２を減設する場合でも空調用床吹出口３を床面５から取り外す必要はなく、通気蓋３１の開口部３０を開閉板３２で閉じた状態にするだけで、通気蓋３１の開口部３０から冷気空間以外の室内に冷気を吹き出させないようにすると共に、床面５を平坦な状態にすることができる。また、レイアウト変更にて、ラック列１、２を増設する場合でも空調用床吹出口３を床面５に取り付ける必要はなく、通気蓋３１の開口部３０を開閉板３２で開いた状態にするだけで、通気蓋３１の開口部３０から室内の冷気空間に冷気を吹き出すことができる。その結果、空調用床吹出口３を床面５から取り外さなくても済むため、レイアウト変更に伴う工期を短縮することができる。
【００４３】
＜本実施形態の空調システムの作用・効果＞
本実施形態の空調システムは、床面５に空調用床吹出口３を取り付けて構成する。そして、空調用床吹出口３を使用しない場合は、通気蓋３１の開口部３０を開閉板３２で閉じた状態にする。これにより、通気蓋３１の開口部３０から冷気空間以外の室内に冷気を吹き出させないようにすることができる。その結果、空調システムのレイアウト変更に伴って空調用床吹出口３を使用しない場合は、通気蓋３１の開口部３０を開閉板３２で閉じた状態にすることで、空調用床吹出口３を床面５から取り外さなくても済むことができる。
【００４４】
また、空調用床吹出口３を使用する場合は、通気蓋３１の開口部３０を開閉板３２で開いた状態にする。これにより、通気蓋３１の開口部３０から室内の冷気空間に冷気を吹き出させることができる。また、開閉板３２を構成する第２の開閉板３２−２を第１の開閉板３２−１に対してスライドさせて引き出すことで、開閉板３２全体の長さを長くし、開閉板３２で多くの冷気を取り込み、開口部３０から室内の冷気空間に吹き出させることができる。
【００４５】
（第２の実施形態）
次に、第２の実施形態について説明する。
【００４６】
第１の実施形態の空調用床吹出口３は、図８に示す２枚構造の開閉板３２を有して構成している。しかし、図１１に示す２枚構造の開閉板３２を有して構成することも可能である。図１１は、開閉板３２のスライド機構の構成例を示す図である。（ａ）は、開閉板３２を側面から見たときの断面図を示し、（ｂ）は、開閉板３２の分解図を示し、（ｃ）は、開閉板３２を前方から見たときの断面図を示す。
【００４７】
開閉板３２は、第１の開閉板３２−１と、移動可能な第２の開閉板３２−２と、ガイド板３４と、を有して構成する。図１１に示す開閉板３２は、第２の開閉板３２−２の上に第１の開閉板３２−１を重ねて構成しており、第２の開閉板３２−２が開閉板３２の下側を構成し、第１の開閉板３２−１が開閉板３２の上側を構成している。ガイド板３４は、図１１（ｃ）に示すように、第１の開閉板３２−１と、第２の開閉板３２−２と、の端部を挟み込むように、第１の開閉板３２−１と、第２の開閉板３２−２と、の両側に設けられており、移動可能な第２の開閉板３２−２を第１の開閉板３２−１に沿ってスライドさせることを可能にしている。ガイド板３４は、図９に示すように、ガイド板３４の背面が通気蓋３１に取り付けられており、第１の開閉板３２−１は、ガイド板３４と連結し、ガイド板３４を介して通気蓋３１に取り付けられる。
【００４８】
図１１に示す開閉板３２は、第２の開閉板３２−２の上面にガイド溝３５が設けられており、第１の開閉板３２−１の下面に突起部３６が設けられており、ガイド溝３５に沿って第２の開閉板３２−２が第１の開閉板３２−１に対してスライドするようになっている。なお、第２の開閉板３２−２の上面に突起部３６を設け、第１の開閉板３２−１の下面にガイド溝３５を設け、突起部３６を設けた第２の開閉板３２−２が第１の開閉板３２−１に対してスライドするようにすることも可能である。また、図１１では、図１１（ｃ）に示すように、ガイド溝３５と、突起部３６と、を開閉板３２の中央の位置に設けるようにしている。しかし、ガイド溝３５と、突起部３６と、を設ける位置は、図１１（ｃ）に示す位置に限定せず、任意の位置に設けるようにすることも可能である。また、図１１では、図１１（ｃ）に示すように、ガイド溝３５と、突起部３６と、の一対を開閉板３２に１つだけ設けて構成している。しかし、ガイド溝３５と、突起部３６と、の一対を開閉板３２に複数設けて構成することも可能である。
【００４９】
図１１に示す開閉板３２は、第２の開閉板３２−２の上面に突形状の持手部３３が設けられており、その持手部３３を使用者が持って第２の開閉板３２−２を第１の開閉板３２−１に対して容易にスライドさせることを可能にしている。図１１に示す持手部３３は、第２の開閉板３２−２の上面から突出した形状になっているため、図１２に示すように、第２の開閉板３２−２を第１の開閉板３２−１に対して引き戻した状態の場合でも、第２の開閉板３２−２が第１の開閉板３２−１よりも前方に位置することになる。また、図１１に示す開閉板３２は、開閉板３２の上面側を構成する第１の開閉板３２−１がガイド板３４と連結するため、図１２に示すように、ガイド板３４の上面の位置γが通気蓋３１の上面の位置βよりも上方に位置しないように、開閉板３２を通気蓋３１に取り付ける必要がある。
【００５０】
（第３の実施形態）
次に、第３の実施形態について説明する。
【００５１】
第３の実施形態の空調用吹出口３は、図１３に示す２枚構造の開閉板３２を有して構成する。図１３は、開閉板３２のスライド機構の構成例を示す図である。（ａ）は、開閉板３２を側面から見たときの断面図を示し、（ｂ）は、開閉板３２の分解図を示し、（ｃ）は、開閉板３２を前方から見たときの断面図を示す。
【００５２】
開閉板３２は、第１の開閉板３２−１と、移動可能な第２の開閉板３２−２と、ガイド板３４と、を有して構成する。図１３に示す開閉板３２は、第２の開閉板３２−２の上に第１の開閉板３２−１を重ねて構成しており、第２の開閉板３２−２が開閉板３２の下側を構成し、第１の開閉板３２−１が開閉板３２の上側を構成している。ガイド板３４は、図１３（ｃ）に示すように、第１の開閉板３２−１と、第２の開閉板３２−２と、の端部を挟み込むように、第１の開閉板３２−１と、第２の開閉板３２−２と、の両側に設けられており、移動可能な第２の開閉板３２−２を第１の開閉板３２−１に沿ってスライドさせることを可能にしている。ガイド板３４は、図９に示すように、ガイド板３４の背面が通気蓋３１に取り付けられており、第１の開閉板３２−１は、ガイド板３４と連結し、ガイド板３４を介して通気蓋３１に取り付けられる。
【００５３】
図１３に示す開閉板３２は、第２の開閉板３２−２の両側面に突起部５０が設けられており、ガイド板３４に貫通穴５１が設けられており、第２の開閉板３２−２の両側面に設けられた突起部５０をガイド板３４に設けられた貫通穴５１に挿入し、貫通穴５１に挿入された突起部５０の頂に第２の開閉板３２−２とガイド板３４とが分離しないようにするための抑え部５２が取り付けられている。これにより、第２の開閉板３２−２とガイド板３４とが分離せず、第２の開閉板３２−２をガイド板３４に対してスライドさせることができる。また、第１の開閉板３２−１は、ガイド板３４に連結して固定されているため、第２の開閉板３２−２は、ガイド板３４に連結して固定されている第１の開閉板３２−１に対してスライドさせることができる。
【００５４】
なお、図１３に示す開閉板３２は、ガイド板３４に貫通穴５１を設け、第２の開閉板３２−２の両側面に突起部５０と抑え部５２とを設けるようにしている。しかし、図１４（ａ）に示すように、ガイド板３４の内側にガイド溝６０を設け、第２の開閉板３２−２の両側面に突起部６１を設け、突起部６１をガイド溝６０に沿ってスライドさせることで、第２の開閉板３２−２をガイド板３４に対してスライドさせるようにすることも可能である。また、図１４（ｂ）に示すように、ガイド板３４の内側に突起部７１を設け、第２の開閉板３２−２の両側面にガイド溝７０を設け、ガイド溝７０を突起部７１に対してスライドさせるようにすることも可能である。
【００５５】
また、図１３に示す開閉板３２は、第２の開閉板３２−２が開閉板３２の下側を構成し、第１の開閉板３２−１が開閉板３２の上側を構成するようにしている。しかし、図８に示すように、第１の開閉板３２−１が開閉板３２の下側を構成し、移動可能な第２の開閉板３２−２が開閉板３２の上側を構成するようにすることも可能である。
【００５６】
（第４の実施形態）
次に、第４の実施形態について説明する。
【００５７】
第１の実施形態の空調用吹出口３の開閉板３２は、図９に示すようにガイド板３４を有し、そのガイド板３４の背面をヒンジ４０を介して通気蓋３１に取り付け、ガイド板３４が下方に回動することを可能にしている。これにより、第１の実施形態の空調用吹出口３は、開閉板３２の背面を通気蓋３１に取り付ける軸部となるヒンジ４０を有し、その軸部となるヒンジ４０が軸となり、開閉板３２を回動可能にし、開口部３０を開口した状態と、閉じた状態と、にしている。しかし、図１５に示すように、ガイド板３４の両側面に回転用軸機構８０を設け、その回転用軸機構８０を通気蓋３１の内側に設けられた軸受機構８１に取り付け、ガイド板３４が回転用軸機構８０及び軸受機構８１により下方に回動するようにすることも可能である。これにより、本実施形態の空調用吹出口３は、開閉板３２の両側面を通気蓋３１に取り付ける軸部となる回転用軸機構８０と軸受機構８１とを有し、その軸部となる回転用軸機構８０と軸受機構８１とが軸となり、開閉板３２を回動可能にし、開口部３０を開口した状態と、閉じた状態と、にすることができる。図１５では、軸受機構８１に板バネ等の弾性部材８２を設け、その弾性部材８２で回転用軸機構８０に対して圧力を加えるようにしている。図１５では、回転用軸機構８０は、ガイド板３４の側面に円柱状の突起部を設けて構成している。また、軸受機構８１は、通気蓋３１の内側に円柱状の凹部８３を設け、その凹部８３の外周面に弾性部材８２を設けて構成している。そして、回転用軸機構８０を構成する円柱状の突起部を、軸受機構８１を構成する円柱状の凹部８３に挿入し、その挿入した円柱状の突起部の外周に、凹部８３に取り付けた弾性部材８２が所定の圧力を加えて当接するようになっている。これにより、通気蓋３１に取り付けたガイド板３４を通気蓋３１の上面と平行な状態から９０度の範囲で下方に角度を任意に調整して動かすことができる。
【００５８】
なお、回転用軸機構と軸受機構とは、例えば、図１６に示す構成にすることも可能である。図１６では、回転用軸機構９０に弾性部材９２を設け、その弾性部材９２の頂に突起部９３を設けている。そして、軸受機構９１に複数の凹部９５を設けている。軸受機構９１は、通気蓋３１の内側に円柱状の凹部９４を設け、その凹部９４の外周面に複数の凹部９５を設けて構成している。そして、弾性部材９２の頂に設けた突起部９３が軸受機構９１の凹部９５に挿入されることでガイド板３４の回転を停止させるようにしている。これにより、通気蓋３１に取り付けたガイド板３４を通気蓋３１の上面と平行な状態から９０度の範囲で下方に角度を任意に調整して動かすことができる。
【００５９】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００６０】
例えば、上述する実施形態では、開閉板３２を２枚構造で構成し、開閉板３２の長さを調整することを可能にしている。しかし、開閉板３２は、開閉板３２の長さを調整することが可能であれば、２枚構造に限定せず、３枚以上の構造で構成することも可能である。
【００６１】
また、上述する各実施形態の構造を適宜組み合わせて空調用床吹出口３を構成することも可能である。
【符号の説明】
【００６２】
１、２    ラック列
３    空調用床吹出口
４    床下空間
５    床面
６    天井
１０    遮蔽体
１９    空調装置
３１    通気蓋
３０    開口部
３２    開閉板
３２−１    第１の開閉板
３２−２    第２の開閉板
３３    持手部
３４    ガイド板
【図１】
2018128254.tif 000003
【図２】
2018128254.tif 000004
【図３】
2018128254.tif 000005
【図４】
2018128254.tif 000006
【図５】
2018128254.tif 000007
【図６】
2018128254.tif 000008
【図７】
2018128254.tif 000009
【図８】
2018128254.tif 000010
【図９】
2018128254.tif 000011
【図１０】
2018128254.tif 000012
【図１１】
2018128254.tif 000013
【図１２】
2018128254.tif 000014
【図１３】
2018128254.tif 000015
【図１４】
2018128254.tif 000016
【図１５】
2018128254.tif 000017
【図１６】
2018128254.tif 000018